(57)【要約】【課題】医療機関による医療排出物処理用容器の採用を促すための排出処理管理装置、排出処理管理方法及びデータ構造を提供する。【解決手段】排出処理管理システム２では、排出処理管理方法６０が行われる。排出処理管理方法６０は、排出処理管理方法６０は、油化処理履歴ステップ６０Ｆと、二酸化炭素削減量関連付けステップ６０Ｈと、を備えるため、油化処理履歴と二酸化炭素削減量とが紐づく。このため、医療排出物の処理方法として、油化処理を選択する動機付けとなる。同様にして、排出処理管理方法６０は、滅菌処理履歴ステップ６０Ｃと、二酸化炭素削減量関連付けステップ６０Ｈと、を備えるため、滅菌処理履歴と二酸化炭素削減量とが紐づく。このため、医療排出物の処理方法として、二酸化炭素削減量に貢献する滅菌処理を選択する動機付けとなる。【選択図】図５
2020032338.tif 000002
【特許請求の範囲】
【請求項１】
所定の情報を格納する記憶手段と、
所定の信号の入出力を行う入出力手段と、
油化処理業者による油化処理が行われる旨の油化処理履歴を記憶手段に記録する油化処理履歴手段と、
前記油化処理による二酸化炭素削減量を前記油化処理履歴に対して関連付ける二酸化炭素削減量関連付け手段と、
各装置を制御する制御手段と、
を備えることを特徴とする医療排出物の排出処理管理装置。
【請求項２】
前記医療排出物の滅菌処理が医療機関によって行われる旨の滅菌処理履歴を記憶手段に記録する滅菌処理履歴手段
を備えることを特徴とする請求項１記載の医療排出物の排出処理管理装置。
【請求項３】
所定の情報を格納する記憶手段と、
所定の信号の入出力を行う入出力手段と、
滅菌容器を使用する医療排出物の滅菌処理が医療機関によって行われる旨の滅菌処理履歴を記憶手段に記録する滅菌処理履歴手段と、
前記医療排出物の滅菌処理によって得られたインゴットの油化処理であって、前記油化処理による二酸化炭素削減量を前記滅菌処理履歴に対して関連付ける二酸化炭素削減量関連付け手段と、
各装置を制御する制御手段と、
を備えたことを特徴とする医療排出物の排出処理管理装置。
【請求項４】
前記油化処理に貢献した前記医療機関の貢献度を算出する貢献度算出手段と、
前記滅菌処理履歴及び前記油化処理履歴に基づいて、算出した前記医療機関の貢献度を前記医療機関に関連付ける貢献度関連付け手段と、
を備えたことを特徴とする請求項１ないし３のうちいずれか１項記載の医療排出物の排出処理管理装置。
【請求項５】
所定の情報を格納する記憶手段と、
所定の信号の入出力を行う入出力手段と、
油化処理業者から医療機関に対する滅菌容器の引き渡しが行われる旨の引渡履歴を記憶手段に記録する引渡履歴手段と、
前記滅菌容器を使用する医療排出物の滅菌処理が前記医療機関によって行われる旨の滅菌処理履歴を記憶手段に記録する滅菌処理履歴手段と、
前記引渡履歴が関連付けられた前記滅菌処理履歴を油化処理業者へ通知する通知手段と、
各装置を制御する制御手段と、
を備えることを特徴とする医療排出物の排出処理管理装置。
【請求項６】
前記医療機関から回収した滅菌処理後の前記医療排出物に対し、前記油化処理業者による油化処理が行われる旨の油化処理履歴を記憶手段に記録する油化処理履歴手段と、
前記油化処理の二酸化炭素削減量の履歴を前記滅菌処理履歴に対して関連付ける二酸化炭素削減量関連付け手段と、
を備えることを特徴とする請求項５記載の医療排出物の排出処理管理装置。
【請求項７】
油化処理業者による油化処理が行われる旨の油化処理履歴を記録する油化処理履歴ステップと、
前記油化処理による二酸化炭素削減量を前記油化処理履歴に対して関連付ける二酸化炭素削減量関連付けステップと、
を備えたことを特徴とする医療排出物の排出処理管理方法。
【請求項８】
滅菌容器を使用する医療排出物の滅菌処理が医療機関によって行われる旨の滅菌処理履歴を記録する滅菌処理履歴ステップと、
前記医療排出物の滅菌処理によって得られたインゴットの油化処理であって、前記油化処理による二酸化炭素削減量を前記滅菌処理履歴に対して関連付ける二酸化炭素削減量関連付けステップと、
を備えたことを特徴とする医療排出物の排出処理管理方法。
【請求項９】
油化処理業者から医療機関に対する滅菌容器の引き渡しが行われる旨の引渡履歴を記録する引渡履歴ステップと、
前記滅菌容器を使用する医療排出物の滅菌処理が前記医療機関によって行われる旨の滅菌処理履歴を記録する滅菌処理履歴ステップと、
前記引渡履歴が関連付けられた前記滅菌処理履歴を油化処理業者へ通知する通知ステップと、  
を備えることを特徴とする医療排出物の排出処理管理方法。
【請求項１０】
滅菌容器を使用する医療排出物の滅菌処理が医療機関によって行われる旨の滅菌処理履歴と、
前記滅菌処理によって得られたインゴットに対し油化処理が行われる旨の油化処理履と、
前記油化処理による二酸化炭素削減量と、
が関連付けられたことを特徴とするデータ構造。
【発明の詳細な説明】
【技術分野】
【０００１】
本発明は、排出処理管理装置、排出処理管理方法及びデータ構造に関する。
【背景技術】
【０００２】
医療機関が排出する排出物（例えば、紙オムツ、ガーゼや使用済みの注射器や点滴器具等）については、自己完結処理を基本としている。本来、医療機関は、滅菌拡大防止の観点から、自己の施設内に焼却炉を持ち、施設内処理を行ってきた。ところが、ダイオキシン問題をきっかけに、医療機関は、施設内処理から、外部委託による焼却処分に依存しているのが現状である。
【０００３】
出願人は、使用済みの注射器や点滴器具といった要滅菌性排出物（感染性医療排出物）を滅菌し、安全な資源として再利用しやすい感染性医療排出物処理用容器（例えば、特許文献１）を提案した。
【先行技術文献】
【特許文献】
【０００４】
【特許文献１】特許第40090698号公報
【発明の概要】
【発明が解決しようとする課題】
【０００５】
しかしながら、すべての医療機関が、感染性医療排出物処理用容器を採用するに至らず、結果として、外部委託先の業者による不法投棄や不法処理等が依然として後を絶たない。
【０００６】
本発明は、斯かる実情に鑑み、医療機関による医療排出物処理用容器の採用を促すための排出処理管理装置、排出処理管理方法及びデータ構造を提供しようとするものである。
【課題を解決するための手段】
【０００７】
本発明の医療排出物の排出処理管理装置は、所定の情報を格納する記憶手段と、所定の信号の入出力を行う入出力手段と、各装置を制御する制御手段と、を備え、油化処理業者による油化処理が行われる旨の油化処理履歴を記憶手段に記録する油化処理履歴手段と、前記油化処理による二酸化炭素削減量を前記油化処理履歴に対して関連付ける二酸化炭素削減量関連付け手段と、を備えたことを特徴とする。
【０００８】
本発明の医療排出物の排出処理管理装置は、所定の情報を格納する記憶手段と、所定の信号の入出力を行う入出力手段と、各装置を制御する制御手段と、を備え、滅菌容器を使用する医療排出物の滅菌処理が医療機関によって行われる旨の滅菌処理履歴を記憶手段に記録する滅菌処理履歴手段と、前記医療排出物の滅菌処理によって得られたインゴットの油化処理であって、前記油化処理による二酸化炭素削減量を前記滅菌処理履歴に対して関連付ける二酸化炭素削減量関連付け手段と、備えたことを特徴とする。
【０００９】
本発明の医療排出物の排出処理管理装置は、所定の情報を格納する記憶手段と、所定の信号の入出力を行う入出力手段と、各装置を制御する制御手段と、を備え、油化処理業者から医療機関に対する滅菌容器の引き渡しが行われる旨の引渡履歴を記憶手段に記録する引渡履歴手段と、前記滅菌容器を使用する医療排出物の滅菌処理が前記医療機関によって行われる旨の滅菌処理履歴を記憶手段に記録する滅菌処理履歴手段と、前記引渡履歴が関連付けられた前記滅菌処理履歴を油化処理業者へ通知する通知手段と、を備えることを特徴とする。
【００１０】
本発明の医療排出物の排出処理管理方法は、油化処理業者による油化処理が行われる旨の油化処理履歴を記録する油化処理履歴ステップと、前記油化処理による二酸化炭素削減量を前記油化処理履歴に対して関連付ける二酸化炭素削減量関連付けステップと、を備えたことを特徴とする。
【００１１】
本発明の医療排出物の排出処理管理方法は、滅菌容器を使用する医療排出物の滅菌処理が医療機関によって行われる旨の滅菌処理履歴を記録する滅菌処理履歴ステップと、前記医療排出物の滅菌処理によって得られたインゴットの油化処理であって、前記油化処理による二酸化炭素削減量を前記滅菌処理履歴に対して関連付ける二酸化炭素削減量関連付けステップと、を備えたことを特徴とする。
【００１２】
本発明の医療排出物の排出処理管理方法は、油化処理業者から医療機関に対する滅菌容器の引き渡しが行われる旨の引渡履歴を記録する引渡履歴ステップと、前記滅菌容器を使用する医療排出物の滅菌処理が前記医療機関によって行われる旨の滅菌処理履歴を記録する滅菌処理履歴ステップと、前記引渡履歴が関連付けられた前記滅菌処理履歴を油化処理業者へ通知する通知ステップと、  を備えることを特徴とする。
【００１３】
本発明のデータ構造は、滅菌容器を使用する医療排出物の滅菌処理が医療機関によって行われる旨の滅菌処理履歴と、前記滅菌処理によって得られたインゴットに対し油化処理が行われる旨の油化処理履と、前記油化処理による二酸化炭素削減量と、が関連付けられたことを特徴とする。
【発明の効果】
【００１４】
本発明によれば、医療機関による医療排出物処理用容器の採用を促すための排出処理管理装置、排出処理管理方法及びデータ構造を提供することができる。結果、医療排出物の焼却処理や、外部委託先の業者による不法投棄や不法処理等を抑制することができる。
【図面の簡単な説明】
【００１５】
【図１】排出処理管理システムのシステム構成図である。
【図２】サーバのハードウェア構成図である。
【図３】履歴ＤＢの概要を示す説明図である。
【図４】サーバの機能ブロック図である。
【図５】排出処理方法の概要を示すフローチャートである。
【図６】排出処理方法の概要を示すフローチャートである。
【発明を実施するための形態】
【００１６】
図１に示すように、医療排出物の排出処理管理システム２は、医療排出物の滅菌容器の製造や販売を行う容器メーカ１０が使用する滅菌容器メーカ用端末１０Ａと、滅菌容器を用いて医療排出物の滅菌処理を行う医療機関２０が使用する医療機関用端末２０Ａと、滅菌処理によって得られるインゴットに対して油化処理を行う油化処理業者３０が使用する油化処理業者用端末３０Ａと、各端末１０Ａ〜３０Ａからの要求に対して所定の処理を行うサーバ４０と、各端末１０Ａ〜３０Ａ及びサーバ４０の間の通信を可能にする通信回線５０と、を備える。
【００１７】
医療排出物とは、医療現場で発生する注射器や点滴器具といったプラスチック（例えば、ポリエチレン、ポリプロピレンやポリスチレン）製の要滅菌性排出物（感染性医療排出物）である。
【００１８】
滅菌処理としては、例えば、感染性医療排出物を収容した滅菌容器を、滅菌容器の融点よりも高温の油の浸漬しながら、滅菌容器を上方から加圧する方法がある。この滅菌処理により、滅菌容器の溶融と、感染性医療排出物の滅菌と、感染性医療排出物の減容化を同時に行うことができる。このような滅菌処理を通して、感染性医療排出物は滅菌容器とともに減容化され、プラスチックの塊（インゴットと称する）となる。滅菌容器を浸す油としては、例えば、天ぷら料理の廃食油で、且つ、水分と残滓を濾過・除去した食用油が使用されるが、実際には、その引火点及び発火点がプラスチックの融解点よりも高い性質を持つ油（ オリーブ油、落花生油、ナタネ油等） であれば、上記以外のものであっても勿論よく、その選択は任意とする。また、滅菌容器の例としては、当該油によって溶融可能なプラスチックからなり、その形状は、断面積が上部より底部に向かって次第に狭くなり、且つ、全体が断面略円錐状又は略角錐状を成すバケツ形状となっている。さらに、この容器の外側面の周方向には、上下に間隔をあけて複数条の薄肉溝を凹設したことを特徴とするものであり、その詳細は、特許第4090698号等に記載されている。
【００１９】
また、油化処理としては、ポリエチレン、ポリプロピレンやポリスチレンの熱分解を介して、所定の油に再生するものであり、例えば、熱分解油化装置（エコ・エース  株式会社オズ社製）などがある。熱分解油化装置の方式としては、バッチ処理式、連続処理式のいずれでもよい。上述した滅菌処理によって得られるプラスチックの塊（インゴットと称する）に対して油化処理を行うと、Ａ重油相当の再生油を得ることができる。
【００２０】
各端末１０Ａ〜３０ａは、各ユーザの操作に従って、所定の要求信号をサーバ４０へ送信するとともに、要求先から所定の演算結果を受信するものであり、バーコードリーダ、QRコードリーダや、これらのアプリケーションがインストールされたスマートフォン等を用いることができる。
【００２１】
通信回線５０は、有線通信回線と無線通信回線とのいずれを用いてもよい。
【００２２】
図２に示すように、サーバ４０は、ＣＰＵ４１と、ＲＡＭ４２と、ＲＯＭ４３と、外部記憶装置４４と、入力装置４５と、表示装置４６と、入出力インターフェース４８と、バス４９と、を備えている。
【００２３】
ＣＰＵ４１は、いわゆる中央演算処理装置であり、各種プログラムが実行されてサーバ４０の各種サービスを実現する。ＲＡＭ４２は、いわゆるＲＡＭ（ランダム・アクセス・メモリ）であり、ＣＰＵ４１の作業領域として使用される。ＲＯＭ４３は、いわゆるＲＯＭ（リード・オンリー・メモリ）であり、ＣＰＵ４１で実行される基本ＯＳや各種プログラム（例えば、排出処理管理用プログラム）を記憶する。
【００２４】
外部記憶装置４４は、各種プログラムの演算結果などを記憶するものであり、内蔵型の記憶装置（例えば、ハードディスクドライブ）、着脱可能な記憶装置（例えば、メモリーカード等）がある。なお、外部記憶装置４４としては、ＮＡＳ（ネットワークアタッチストレージ）のように、通信回線５０経由で接続されるものでもよい。また、ＲＡＭ４２と、ＲＯＭ４３と、外部記憶装置４４と、を記憶手段と総称する。
【００２５】
入力装置４５は、入力キーやキーボード、マウスであり、各種情報を入力する。表示装置４６は、ディスプレイであり、各種動作状態を表示する。入出力インターフェース４８は、通信回線５０（図１）における通信を可能にするものである。
また、入力装置４５と、表示装置４６と、入出力インターフェース４８と、入出力手段と総称する。
【００２６】
バス４９は、ＣＰＵ４１、ＲＡＭ４２、ＲＯＭ４３、入力装置４５、表示装置４６、入出力インターフェース４８などを一体的に接続して通信を行う配線となる。
【００２７】
外部記憶装置４４には、履歴ＤＢが構築される。履歴ＤＢは、医療排出物の滅菌処理に用いる滅菌容器についての履歴情報（滅菌容器履歴情報）を格納するものである。滅菌容器履歴情報は、図３に示すように、滅菌容器に関する滅菌容器情報と、滅菌容器情報に関連付けられた履歴情報とを備える。
【００２８】
滅菌容器情報としては、滅菌容器の識別子である容器ＩＤ、滅菌容器のメーカの識別子である容器メーカＩＤ、製造業者名称や、滅菌容器の製造時期を表す容器製造時期情報等が含まれる。
【００２９】
履歴情報には、容器販売履歴ステップに関する販売履歴、引渡履歴ステップに関する引渡履歴、滅菌処理履歴ステップに関する滅菌処理履歴、通知処理ステップに関する通知処理履歴、インゴット回収履歴ステップ関するインゴット回収履歴、油化処理履歴ステップに関する油化処理履歴、再生油引渡履歴ステップに関する再生油引渡履歴、二酸化炭素削減履歴や、炭化処理履歴ステップに関する炭化処理履歴等が含まれる。また、二酸化炭素削減履歴は、二酸化炭素削減量算出ステップ、二酸化炭素削減量関連付ステップ、貢献度算出ステップ及び貢献度関連付ステップに関するものである。各履歴には、事象が起こった時期、事象の関係者の名称、その連絡先等が含まれる。例えば、引渡履歴を例に挙げて説明すると、引渡時期情報は、油化処理業者から医療機関へ滅菌容器が引き渡された時期を表す。引渡元業者名称は、引渡元業者である油化処理業者の名称である引渡元業者の連絡先は、引渡元業者である油化処理業者の連絡先（メールアドレスや電話番号等）である。引渡先業者名称は、引渡先業者である医療機関の名称である。引渡先業者の連絡先は、引渡先業者である医療機関の連絡先（メールアドレスや電話番号等）である。
【００３０】
ＲＯＭ４３に記憶された基本ＯＳや各種プログラムがＣＰＵ４１によって実行されると、図４に示すように、サーバ４０のＣＰＵ４１は、履歴ＤＢの検索や編集を制御するためのＤＢ制御部４１ＤＢと、外部装置（例えば、端末１０Ａ〜３０Ａ等）への通知をおこなうための通知制御部４１ＮＴと、所定の数値を算出するための算出部４１ＣＬと、を備える。
【００３１】
次に、排出処理管理システム２の利用方法について説明する。
【００３２】
排出処理管理システム２では、図５に示すように、排出処理管理方法６０が行われる。排出処理管理方法６０は、容器販売履歴ステップ６０Ａと、引渡履歴ステップ６０Ｂと、滅菌処理履歴ステップ６０Ｃと、通知ステップ６０Ｄと、インゴット回収履歴ステップ６０Ｅと、油化処理履歴ステップ６０Ｆと、二酸化炭素削減量算出ステップ６０Ｇと、二酸化炭素削減量関連付けステップ６０Ｈと、貢献度算出ステップ６０Ｊと、貢献度関連付けステップ６０Ｋと、再生油引渡履歴ステップ６０Ｌと、炭化処理履歴ステップ６０Ｍと、を備える。
【００３３】
図６に示すように、容器メーカ１０は、滅菌容器を製造した際、当該滅菌容器に対し固有の容器ＩＤを割り振り、当該容器ＩＤに対応するバーコード等を当該滅菌容器に貼り付ける。端末１０Ａを介する容器メーカ１０による操作によって、履歴ＤＢにおける滅菌容器情報における各種の情報（容器ＩＤ、容器メーカＩＤ、容器製造時期情報等）が入力される。これにより、容器ＩＤ、容器メーカＩＤ、及び容器製造時期情報等が互いに関連付けられる。
【００３４】
容器販売履歴ステップ６０Ａでは、容器メーカ１０から油化処理業者３０に対する滅菌容器の販売を行う。このとき、端末１０Ａまたは端末３０Ａを用いて、滅菌容器に表示されたバーコード等を読み込む。こうして、当該販売に関する販売履歴（販売時期情報、販売元業者名称、販売元業者名称の連絡先情報、販売先業者名称、販売先業者名称の連絡先情報等）が履歴ＤＢに記録される（Ｓ１００）。これにより、販売履歴が容器ＩＤと関連付けられる。
【００３５】
引渡履歴ステップ６０Ｂでは、油化処理業者３０から医療機関２０に対する滅菌容器の引き渡しが行われる。このとき、端末２０Ａまたは端末３０Ａを用いて、滅菌容器に表示されたバーコード等を読み込む。こうして、油化処理業者３０から医療機関２０に対する滅菌容器の引き渡しが行われる旨の引渡履歴（医療機関引渡時期情報、医療機関ＩＤ、医療機関の連絡先情報等）が履歴ＤＢに記録される（Ｓ１１０）。これにより、引渡履歴が容器ＩＤと関連付けられる。
【００３６】
滅菌処理履歴ステップ６０Ｃでは、端末２０Ａを用いて、医療機関２０の医療従事者等が滅菌容器に表示されたバーコード等を読み込む。これにより、滅菌容器を使用する医療排出物の滅菌処理が医療機関１０によって行われる旨の滅菌処理履歴が、当該履歴ＤＢに記録される（Ｓ１２０）。これにより、滅菌処理履歴が当該容器ＩＤと関連付けられる。その後、医療機関２０の医療従事者等によって、滅菌容器を使用する医療排出物の滅菌処理が行われる。そして、医療機関２０の医療従事者等は、滅菌容器による滅菌処理を行った後に得られるインゴットに対し、当該容器ＩＤに対応するバーコード等を表示する。
【００３７】
通知ステップ６０Ｄでは、サーバ４０が、処理業者引渡履歴に基づき、履歴情報の内容を油化処理業者３０の端末３０Ａへ通知する（Ｓ１３０）。滅菌処理履歴が当該履歴ＤＢに記録されたことを契機に、油化処理業者３０の端末３０Ａへの通知が行われることが好ましい。
【００３８】
インゴット回収履歴ステップ６０Ｅでは、油化処理業者３０は、医療機関２０からインゴットを回収する。このとき、端末２０Ａまたは端末３０Ａを用いて、インゴットに表示されたバーコード等を読み取る。これにより、インゴット回収履歴が当該容器ＩＤと関連付けられる（Ｓ１４０）。
【００３９】
油化処理履歴ステップ６０Ｆでは、端末２０Ａを用いて、インゴットに表示されたバーコード等を読み取る。その後、医療機関２０から回収した滅菌処理後の医療排出物に対し、油化処理業者３０による油化処理を行う。そして、当該油化処理に関する油化処理履歴を履歴ＤＢに記録する（Ｓ１５０）。これにより、油化処理履歴が当該容器ＩＤと関連付けられる。
【００４０】
二酸化炭素削減量算出ステップ６０Ｇでは、医療排出物の焼却処理を基準とした油化処理の二酸化炭素削減量を算出する（Ｓ１６０）。二酸化炭素削減量関連付けステップ６０Ｈでは、算出した油化処理の二酸化炭素削減量を当該履歴ＤＢに記憶する。これにより、二酸化炭素削減量が容器ＩＤに対して関連付けられる（Ｓ１７０）。貢献度算出ステップ６０Ｊでは、油化処理履歴に基づき油化処理に貢献した医療機関の貢献度を算出する（Ｓ１８０）。なお、貢献度は、医療機関の貢献度のみならず、ここに関与した油化処理業者や容器メーカ等に対して所定の割合で振り分けてもよい。貢献度関連付けステップ６０Ｋでは、医療機関の貢献度を示す貢献度情報を履歴ＤＢに記録する。これにより貢献度情報が当該容器ＩＤに対して関連付けられる（Ｓ１９０）。その後、油化処理を行った後に得られる再生油の容器に対し、当該容器ＩＤに対応するバーコード等を表示する。
【００４１】
なお、二酸化炭素削減量は、カーボンオフセット制度のクレジットとして利用可能なものであることが好ましい。また、クレジットの利用先として、医療業界の支援資金（例えば、医療難民救済支援資金）として利用してもよい。
【００４２】
再生油引渡履歴ステップ６０Ｌでは、端末２０Ａまたは端末３０Ａを用いて、再生油の容器に表示されたバーコード等を読み取る。油化処理業者３０から医療機関２０に対する再生油の引き渡しが行われる旨の再生油引渡履歴を履歴ＤＢに記録する（Ｓ２００）。これにより、再生油引渡履歴が当該容器ＩＤに対して関連付けられる。
【００４３】
炭化処理履歴ステップ６０Ｍでは、端末３０Ａを用いて、再生油の容器に表示されたバーコード等を読み取る。その後、再生油を用いて炭化処理が行われる。そして、炭化処理が医療機関２０によって行われる旨の炭化処理時期情報を履歴ＤＢに記録する。これにより、炭化処理履歴が当該容器ＩＤに対して関連付けられる（Ｓ２１０）。
【００４４】
このように、本発明によれば、引渡履歴ステップ６０Ｂと、滅菌処理履歴ステップ６０Ｃと、通知ステップ６０Ｄとを備えるため、引渡履歴と滅菌処理履歴が関連付けられる。このため、油化処理業者は、自己が引き渡した滅菌容器を用いた医療排出物の滅菌処理が行われたことを知ることができる。このため、油化処理業者は、油化処理が可能なインゴットを医療機関から確実に回収することができる。
【００４５】
また、油化処理履歴ステップ６０Ｆと、二酸化炭素削減量関連付けステップ６０Ｈと、を備えるため、油化処理履歴と二酸化炭素削減量とが紐づく。このため、医療機関は、医療排出物の処理方法として、従来の方法（焼却処分や外部委託等）よりも、油化処理を選択する動機付けとなる。結果、油化処理に必要な滅菌処理を選択する動機付けとなる。同様にして、滅菌処理履歴ステップ６０Ｃと、二酸化炭素削減量関連付けステップ６０Ｈと、を備えるため、滅菌処理履歴と二酸化炭素削減量とが紐づく。このため、医療排出物の処理方法として、二酸化炭素削減量に貢献する滅菌処理を選択する動機付けとなる。
【００４６】
さらに、貢献度関連付けステップ６０Ｋとを備えるため、滅菌処理履歴と二酸化炭素削減量とが紐づく。このため、医療機関が、医療排出物の処理方法として、滅菌容器を用いた滅菌処理を選択する動機付けが強くなる。
【００４７】
また、本発明によれば、引渡履歴から炭化処理履歴までが１つの容器ＩＤで紐づけられる。このため、引渡履歴から炭化処理履歴に関わった関係者を把握できるため、引渡履歴から炭化処理履歴までの間において、不法投棄等の有無を判別することができる。
【００４８】
なお、再生油の提供先については、医療機関の貢献度に基づき決定してもよい。例えば、医療機関の貢献度の高い順に再生油の提供先を選択してもよい。また、医療機関の貢献度が高くなるにつれて、当該医療機関への再生油の提供量を多くする一方、医療機関の貢献度が低くなるにつれて、当該医療機関への再生油の提供量を少なくしてもよい。同様に、医療機関の貢献度が高くなるにつれて、当該医療機関への再生油の提供料を安く設定する一方、医療機関の貢献度が低くなるにつれて、当該医療機関への再生油の提供料を高く設定してもよい。
【００４９】
上記実施形態では、履歴ＤＢにおいて所定の情報を追記したが、本発明はこれに限られず、紙面上において所定の情報を追記して、履歴ＤＢとしてもよい。
【００５０】
尚、本発明は、上記した実施の形態に限定されるものではなく、本発明の要旨を逸脱しない範囲内において種々変更を加え得ることは勿論である。
【符号の説明】
【００５１】
２     排出処理管理システム
１０   容器メーカ
１０   医療機関
１０Ａ 滅菌容器メーカ用端末
２０   医療機関
２０Ａ 医療機関用端末
２０Ａ 端末
３０   油化処理業者
３０Ａ 油化処理業者用端末
４０   サーバ
４１ＣＬ      算出部
４１ＤＢ      ＤＢ制御部
４１ＮＴ      通知制御部
５０   通信回線
６０   排出処理管理方法
【図１】
2020032338.tif 000003
【図２】
2020032338.tif 000004
【図３】
2020032338.tif 000005
【図４】
2020032338.tif 000006
【図５】
2020032338.tif 000007
【図６】
2020032338.tif 000008